(57)【要約】  【課題】  本発明はジオラマの損傷等を防止しながらレイアウトパネルの収納および運搬を容易にすることを課題とする。  【解決手段】  表面にジオラマを形成するレイアウトパネルを運搬するための箱状の収納ケースであり、前記収納ケースの底面を構成する底板と、前記レイアウトパネルの表面が前記収納ケースの内側を向き、前記レイアウトパネルの裏面が前記収納ケースの一側面を構成するように前記パネルを前記底板に立てた状態に保持するレイアウトパネル保持手段とを有する。これによりレイアウトパネルはジオラマが形成される表面が内側を向くように底板に立てた状態に保持されるので、ジオラマの破損等を生じさせることなく、レイアウトパネルを収納し、また、運搬することができる。【選択図】  図２
2005065820.tif 000002
【特許請求の範囲】
【請求項１】
表面にジオラマを形成するレイアウトパネルを運搬するための箱状の収納ケースであって、
前記収納ケースの底面を構成する底板と、
前記レイアウトパネルの表面が前記収納ケースの内側を向き、前記レイアウトパネルの裏面が前記収納ケースの一側面を構成するように前記パネルを前記底板に立てた状態に保持するレイアウトパネル保持手段と
を有するレイアウトパネル収納ケース。
【請求項２】
前記レイアウトパネル保持手段は、２枚のレイアウトパネルの表面が互いに向き合うように保持する請求項１に記載のレイアウトパネル収納ケース。
【請求項３】
前記レイアウトパネルを取り付けた前記レイアウトパネル収納ケースであって、前記レイアウトパネルは内部が中空であり、かつ、裏面を構成する裏板が着脱自在に構成される請求項１又は２に記載のレイアウトパネル収納ケース。
【発明の詳細な説明】
【技術分野】
【０００１】
本発明は鉄道模型の展示などをするためのジオラマを形成するレイアウトパネルを収納し運搬するための収納ケースに関する。
【背景技術】
【０００２】
鉄道模型の愛好家は多くの場合レイアウトパネルの表面にレールなどを含めたジオラマを作り、そこに鉄道模型を走らせて楽しむ。このようなジオラマを形成したレイアウトパネルは大きな面積を占有するが、直接床に置いたり、テープルの上において展示するのが一般的であり、収納する際には水平状態を保ったまま収納される。
【発明の開示】
【発明が解決しようとする課題】
【０００３】
このようなレイアウトパネルは水平に収納するために大変場所をとり生活空間を圧迫してしまう。また、同じ趣味を持つものがレイアウトパネルを持ち寄って楽しむためには交通機関により運搬する必要があるが、大きなレイアウトパネルを運搬することは大変困難であった。一方、レイアウトパネル上にはジオラマが形成されているので、取り扱いに注意を要する。
そこで、本発明はジオラマの損傷等を防止しながらレイアウトパネルの収納および運搬を容易にすることを課題とする。
【課題を解決するための手段】
【０００４】
上記課題を解決するために、本発明は次のような構成を有する。
請求項１に記載の発明は、表面にジオラマを形成するレイアウトパネルを運搬するための箱状の収納ケースであり、前記収納ケースの底面を構成する底板と、前記レイアウトパネルの表面が前記収納ケースの内側を向き、前記レイアウトパネルの裏面が前記収納ケースの一側面を構成するように前記パネルを前記底板に立てた状態に保持するレイアウトパネル保持手段とを有する。
請求項２に記載の発明は、前記レイアウトパネル保持手段は、２枚のレイアウトパネルの表面が互いに向き合うように保持する。
請求項３に記載の発明は、前記レイアウトパネルを取り付けた前記レイアウトパネル収納ケースであり、このレイアウトパネルは内部が中空であり、かつ、裏面を構成する裏板が着脱自在に構成される。
【発明の効果】
【０００５】
請求項１に記載の発明は、レイアウトパネルがジオラマが形成される表面が内側を向くように底板に立てた状態に保持されるので、ジオラマの破損等を生じさせることなく、レイアウトパネルを収納し、また、運搬することができる。
請求項２に記載の発明は、２枚のレイアウトパネルの表面が互いに向き合うように保持されるので、内側のジオラマは互いのレイアウトパネルの裏面によって外部からの接触から隔離されるのでより確実にジオラマの破損等を防ぐことができる。
請求項３に記載の発明は、レイアウトパネルを含めて箱状に構成されるレイアウトパネル収納ケースにおいて、収納ケースの側面を構成するレイアウトパネルの裏板が着脱でき、かつ、その内部が中空であるので、レイアウトパネルの内部に電気配線を通すことにより、収納状態のレイアウトパネルの配線処理を行えばレイアウトパネルが立った状態であるので、きわめて容易に作業を行うことが可能となる。  
【発明を実施するための最良の形態】
【０００６】
以下、本発明の実施の形態について、図面を参照しながら説明する。
図１に本実施の形態に係るレイアウトパネル収納ケースＡの斜視図を示す。レイアウトパネル収納ケースＡは、天板１、横揺れ補強板２、脱落防止板３、横板接続板４、横板上部５、横板下部６、底板７より構成され、レイアウトパネル１００を収納した状態で完全なケースとなる。これらの材質はここでは木が用いられるが、合成樹脂や金属材料で構成することもできる。図２にレイアウトパネル収納ケースＡの分解斜視図を示し、図３にレイアウトパネル１００を除いて天板１を上げた状態を示すレイアウトパネル収納ケースの斜視図を示す。
底板７は長方形状の板材であり、底面に４つのキャスター７ａが取り付けられている。また、底板７の底面には取り付けられるレイアウトパネル１００と平行なそれぞれの縁に沿って板状の底面保護部材７ｂが取り付けられる。底板保護部材７ｂの幅はキャスターの高さよりも少しだけ短くなっている。
横板下部６は長方形状の板材であり、底板の対向する２辺のそれぞれに１枚ずつ固定されている。横板接続板４は長方形状の板材であり、横板下部６の上縁側にそれぞれ１枚ずつ固定されている。横板接続板４には取り付け穴４ａが２つ形成されている。
【０００７】
横板上部５は長方形状の板材であり、横板下部６に連続する面を構成するようにそれぞれ１枚ずつ設けられる。横板上部５にはスリット５ａ、側方凸部５ｂ、上側鬼目ナット５ｃ、下側鬼目ナット５ｄ、取り付け穴５ｅ、ストッパー５ｆが設けられる。スリット５ａは横板上部５の設置状態において、上縁の真ん中に設けられる。なお、ここではスリット５aは横板上部５の上縁の真ん中に設けているが、レイアウトパネル１００に形成されるジオラマの形状に応じて、上縁の真ん中からずれた位置に設けてもよい。側方凸部５ｂは横板上部５のそれぞれの側縁に張り出すように２つずつ設けられる。上側鬼目ナット５ｃ、下側鬼目ナット５ｄは、それぞれ外側の面の上縁近傍と下縁近傍に２つずつ設けられる。取り付け穴５ｅは横板上部５を貫通するように側縁近傍に４つ設けられる。横板上部５は、下側鬼目ナット５ｄに係合する横板接続板４の取り付け穴４ａを通る止めネジによって横板接続板４に固定される。ストッパー５ｆは棒材であり、横板上部５の設置状態において内側の面に垂直に設けられる。ストッパー５ｆはレイアウトパネル１００が固定される位置において、レイアウトパネルの表面に接触する位置に設けられる。
【０００８】
横揺れ補強板２は長方形状の板材であり、設置した状態の上縁に取っ手２ａが形成され、下縁の両端近傍にそれぞれスリット２ｂが形成される。このスリット２ｂは横板上部５の上縁に形成されるスリット５ａとちょうど係合するようになっている。さらに、横揺れ補強板２の上縁両端には後述する脱落防止板３のスリット３ａが嵌る切り欠き２ｃが設けられている。
脱落防止板３は長方形状の板材であり、横板上部５に係合した横揺れ補強板２の横板上部５から突出する切り欠き２ｃの内面に係合するスリット３ａが下縁に設けられ、また、取り付け穴３ｂが両端近傍に設けられる。脱落防止板３は取り付け穴３ｂを通り横板上部５に設けられる上側鬼目ナット５ｃに係合する止めネジによって横板上部５に固定される。
天板１は長方形状の板材であり、中央に横揺れ補強版２に設けられる取っ手２ａが通るスリット１ａが形成されている。
【０００９】
レイアウトパネル１００は略正方形状の表面と裏面を有する中空の箱状態であり、表面に鉄道模型用のジオラマが形成される。図４にレイアウトパネルの裏面から見た斜視図を示し、図５にレイアウトパネルの分解斜視図を示す。レイアウトパネル１００は台枠１０１、天板１０２、裏板１０３より構成される。
台枠１０１は４本の直方体の棒材を４本、ロの字の形状に組み合わせたものである。台枠を形成する棒材の外面側にはそれぞれ２つずつ鬼目ナット１０１ａが設けられている。鬼目ナットの位置はそれぞれ一番近い角から側縁の長さの４分の１の位置に設けられている。すなわち鬼目ナット１０１ａの間隔は台枠１００の側縁の長さのちょうど２分の１になる。また、台枠の内側一方の開口縁には、４隅のそれぞれに直角二等辺三角形状の補強板１０１ｂが固定されている。さらに、補強板１０１ｂにはナット１０１ｂａが埋め込まれている。
天板１０２は略正方形状の板材であり、台枠１０１の補強板１０１ｂが設けられていない方の開口を塞ぐように台枠１０１に固定されレイアウトパネルの表面を構成する。この天板１０２上にジオラマが形成されることになる。
裏板１０３は略正方形状の板材であり、底面に４つの円錐形の脚１０３ａが設けられている。また、４隅近傍のそれぞれに貫通した取り付け穴１０３ｂが形成されている。裏板１０３は各取り付け穴１０３ｂを通り台枠１０１の補強板１０１ｂに設けられるナット１０１ｂａに係合する止めネジ２００によって、台枠１０１に着脱自在に取り付けられる。
【００１０】
レイアウトパネル１００は、収納する際には図３のような状態の収納ケースにジオラマが形成された面が内側を向くようにして、横板上部５、横板下部６、底板７で形成されるコの字状の空間に嵌め入れられる。レイアウトパネル１００の天板１０２が横板上部５のストッパー５ｆに接触した状態で、横板上部の取り付け穴５ｅの位置とレイアウトパネル１００の鬼目ナット１０１ａの位置がほぼ合うようになっているので、この状態で止めネジを取り付け穴５ｅに通して鬼目ナット１０１ａに係合させることで、レイアウトパネル１００はレイアウトパネル収納ケースＡへ固定される。２枚のレイアウトパネルをこのようにして固定し、天板１のスリット１ａに横揺れ補強板２の取っ手２ａに通して天板１を上部の載せると図１のような形になる。つまり、２枚のレイアウトパネル１００が表面が互いに向き合う形で固定でき、レイアウトパネルの裏面がレイアウトパネル収納ケースの一側面を形成する。また、底板７に間接的に固定される横板上部５がレイアウトパネル１００の表面が収納ケースの内側を向き、前記レイアウトパネルの裏面が収納ケースの一側面を構成するように前記レイアウトパネル１００を前記底板７に立てた状態に保持するレイアウトパネル保持手段を構成することになる。このような状態でレイアウトパネルはコンパクトに収納でき、また、容易に運搬することが可能となる。また、レイアウトパネル１００は箱状であるので、内部に電気配線を収納することができ、さらに、収納状態でレイアウトパネル１００の裏板１０３を固定している止めネジ２００をはずすことでレイアウトパネル１００の内部を立てた状態で表出させて容易に配線に関する作業を行うことができる。
【００１１】
次に、以上のような構成を有するレイアウトパネル収納ケースＡの使用方法について説明する。まず、レイアウトパネルを収納した状態から使う場合について説明する。まず、レイアウトパネルを床に広げるため、広げたい場所にレイアウトパネル収納ケースを図６に示すようにレイアウトパネル１００の底が下になるようにレイアウトパネル収納ケースＡを倒す。横板上部５に設けられている側方凸部５ｂはこの状態でレイアウトパネル１００の脚１０３ａとほぼ同じ高さになるように形成されているので、レイアウトパネルへの衝撃が緩和される。また、底板保護部材７ｂの先端がレイアウトパネル収納ケースＡを倒す際に、支点となるのでキャスターに横方向の応力がかかって破損することを防いでいる。次に、レイアウトパネル収納ケースＡと、床に面しているレイアウトパネルを繋いている止めネジを外し、倒したレイアウトパネル収納ケースを元に戻すとレイアウトパネルだけが床に残る。逆側のレイアウトパネル１００についても同様の動作を行う。
【００１２】
２枚のレイアウトパネルが床に広げられたら、次に、レイアウトパネル１００を図７に示すような脚板３００を４枚用いて２枚のレイアウトパネルを接合させ、また、高さを持たせる。脚板３００は長方形状の板材であり、一縁に２本のスリット３０１が平行に形成されている。このスリット３０１の間隔は、レイアウトパネル１００の台枠１０１の側面に設けられる鬼目ナット１０１ａの間隔にほぼ一致する。鬼目ナット１０１ａの間隔はレイアウトパネルの一辺の長さの二分の一であり、２枚のレイアウトパネルの一端面を合わせた状態では隣接する異なるレイアウトパネルに設けられる鬼目ナット１０１ａ間の距離もレイアウトパネルの一辺の長さの二分の一になる。従って、脚板３００のスリット３０１は一端面を合わせた２枚のレイアウトパネル１００の隣接する鬼目ナット１０１ａの間隔と一致するので、このスリットを通して止めネジ４００を鬼目ナットに係合させると、図８に示すように２枚のレイアウトパネル１００を連結させることができる。それぞれのレイアウトパネルの鬼目ナットは２箇所で隣接するので、この２箇所を脚板３００で接合し、また、それぞれのレイアウトパネル１００の接合面に対向する面に設けられる鬼目ナット１０１ａにも脚板３００を止めネジ４００により固定することで図９に示すように安定した状態で２枚のレイアウトパネルを高さを持たせて保持することができる。この際、止めネジはスリット３０１を介しているので、高さを調整したり、床面の傾きに応じてレイアウトパネルの傾きを調整したりすることができる。
なお、このようにレイアウトパネルを広げた状態で長時間展示する場合は、図３のような状態のレイアウトパネル収納ケースＡのすべての止めネジをはずして分解して片づけることができる。
【００１３】
続いて、レイアウトパネル１００を収納する方法について説明する。まず、脚板３００を取り外して、レイアウトパネル１００を床に置く、この状態で図３のような状態のレイアウトパネル収納ケースＡをレイアウトパネル１００の上に倒してレイアウトパネル１００をレイアウトパネル収納ケースＡ内に嵌めいれる。この状態で止めネジによりレイアウトパネル１００を固定し、レイアウトパネル収納ケースＡを立てる。もう一枚のレイアウトパネルも同様にしてレイアウトパネル収納ケースＡに固定し、天板１をかぶせることで図１に示すような状態にすることができる。
なお、上記実施の形態では横板上部５に設けられたストッパー５ｆは棒状体を用いてレイアウトパネル１００に線接触したが、これを図１０に示すように、円筒状のものに変えてレイアウトパネル１００に点接触するようにしてもよい。このようにすることで、レイアウトパネル上のジオラマが縁近傍まで盛り上がっているような場合にはジオラマに干渉される可能性を低くすることができる。
また、上記実施の形態では横揺れ補強板２に取っ手２ａを一つ設けたが、取っ手は端に寄せてもよい。例えば、図１１に示すように脱落防止板３のそれぞれにとって３ｃを設けてもよい。このようにすることで、レイアウトパネルの重量のバランスが悪い場合でも両端で支えることで安定して運搬することが可能となる。
さらに、ここではレイアウトパネルは略正方形状のものを採用しているが長方形状のものを使用することもできる。この場合は、鬼目ナット１０１ａの間隔は長辺と短辺で適宜変更すればよい。
【図面の簡単な説明】
【００１４】
【図１】レイアウトパネル収納ケースの斜視図である。
【図２】レイアウトパネル収納ケースの分解斜視図である。
【図３】天板を上げ、レイアウトパネルを取り外した状態のレイアウトパネル収納ケースの斜視図である。
【図４】レイアウトパネルの斜視図である。
【図５】レイアウトパネルの分解斜視図である。
【図６】レイアウトパネル収納ケースを倒した状態を示す側面図である。
【図７】脚板を示す正面図である。
【図８】２枚のレイアウトパネルを脚板で接続した部分を示す正面図である。
【図９】２枚のレイアウトパネルに脚板を取り付けた状態を示す斜視図である。
【図１０】ストッパーの変形例を示す、天板を上げ、レイアウトパネルを取り外した状態のレイアウト収納ケースの斜視図である。
【図１１】取っての取付位置の変形例を示すレイアウト収納ケースの分解斜視図である。
【符号の説明】
【００１５】
Ａ      レイアウトパネル収納ケース
１      天板
４      横板接続板
５      横板上部
６      横板下部
７      底板
１００  レイアウトパネル
１０３  裏板
【図１】
2005065820.tif 000003
【図２】
2005065820.tif 000004
【図３】
2005065820.tif 000005
【図４】
2005065820.tif 000006
【図５】
2005065820.tif 000007
【図６】
2005065820.tif 000008
【図７】
2005065820.tif 000009
【図８】
2005065820.tif 000010
【図９】
2005065820.tif 000011
【図１０】
2005065820.tif 000012
【図１１】
2005065820.tif 000013